(57)【要約】【課題】簡単な操作により、河川、湖沼、海、上下水道などの被測定水の採水領域において、被測定水の採水を可能とし、さらに採水された被測定水の透視度を簡単な操作により測定することを可能とする透視度計を提供する。【解決手段】透視度計１は、全体長尺状の直管体により形成され、内部に被測定水を流入して滞溜させることを可能とし、内部に流入した被測定水の滞溜状態を外部から視認可能できるよう透明な材質で形成される長筒部材２と、長筒部材２の上開口部４に取付けられ、長筒部材の内部を負圧状態に操作することを可能とす吸引ポンプ７と、長筒部材２の下開口部３を閉塞する状態で該下開口部３に取付けられ、上開口部２に取付けられる吸引ポンプ７の操作により長筒部材２の内部を負圧状態にすることで採水場所にその下端部を浸水させる状態の長筒部材２の下端部より被測定水を長筒部材２の内部に流入可能とする吸排水弁１２を備えるようにしている。【選択図】図３
2014153238.tif 000002
【特許請求の範囲】
【請求項１】
全体長尺状の直管体により形成され、下端部に下開口部を、上端部に上開口部をそれぞれ備え、内部に被測定水を流入して滞溜させることを可能とし、内部に流入した被測定水の滞溜状態を外部から視認可能できるよう直管体の全部または一部がその長手方向に沿って透明あるいは半透明の材質で形成され、長手方向を鉛直方向に対応させることで透明あるいは半透明の材質で形成される部分において外部から内部に流入し、滞溜された被測定水の水位を視認し、計測可能とする長筒部材と、
長筒部材の上開口部に取付けられ、長筒部材の内部を負圧状態に操作することを可能とし、長筒部材の内部を負圧状態に操作することで下開口部側から長筒部材内に被測定水を流入し、滞溜させることを可能とする吸引ポンプと、
下開口部を閉塞する状態で該下開口部に取付けられ、上開口部に取付けられる吸引ポンプの操作により長筒部材の内部を負圧状態にすることで採水場所にその下端部を浸水させる状態の長筒部材の下端部より被測定水を長筒部材の内部に流入可能とし、また上開口部に取付けられる吸引ポンプを上開口部から取り外し、長筒部材の内部の負圧状態を解除することで長筒部材の内部に流入された被測定水を排水可能とする入排水口と、常時はスプリングの付勢力により上記入排水口を閉塞して長筒部材内に流入された被測定水を長筒部材内に滞溜させることを可能とし、長筒部材の下端部を採水場所の水底領域に当接することで上記スプリングの付勢力に抗して閉塞される入排水口を開口し、上開口部に取付けられる吸引ポンプの操作により長筒部材の内部を負圧状態にして採水場所において被測定水を長筒部材に流入可能とし、あるいは長筒部材の下端部を地面や物体などの接触領域に当接することで上記スプリングの付勢力に抗して閉塞される入排水口を開口し、上開口部に取付けられる吸引ポンプを上開口部から取り外して長筒部材内部の負圧状態を解除することで長筒部材の内部に流入され、滞溜された被測定水を排水可能とする当接子を備えた弁体と、を備えた吸排水弁と、
を備えた透視度計であって、
測定者が河川、湖沼、海、上下水道などの被測定水の採水領域において、吸排水弁が取付けられた長筒部材の下端部を浸水させ、上記吸排水弁の弁体の当接子を採水場所の水底領域に当接して閉塞される入排水口を開口するとともに、上開口部に取付けられる吸引ポンプの操作により長筒部材の内部を負圧状態にすることで採水場所にその下端部を浸水させる状態の長筒部材の下端部より被測定水を長筒部材の内部に流入可能とし、長筒部材の内部に一定量の被測定水が滞溜されたら採水場所の水底領域に当接していた弁体の当接子の当接を解除し、弁体により開口されていた入排水口を閉塞して長筒部材の内部に被測定水を滞溜させ、この状態において上開口部に取付けられる吸引ポンプを上開口部から取り外し、長筒部材の長手方向を鉛直方向に対応させて上開口部より測定者が長筒部体の内底部側に備えられるマーカを目視し、視認できるようになるまで弁体の当接子を地面や物体などの接触領域に当接することで長筒部材の内部の被測定水を入排水口より徐々に排水し、測定者が上開口部より長筒部材の内底部側のマーカを目視し、視認できるようになった状態において、長手方向を鉛直方向に対応させた長筒部材の透明あるいは半透明の材質で形成される部分において外部から長筒部材の内部に流入し、滞溜された被測定水のマーカからの水位を視認し、計測可能としたことを特徴とする透視度計。
【請求項２】
長筒部材は、その長手方向において複数の直管体を接続・分離可能とされ、使用時においてこれら複数の直管体を接続し、一本の長尺状の直管体とされるものである請求項１に記載の透視度計。
【請求項３】
長筒部材は、その全体長さが１００cm以上とされる請求項１に記載の透視度計。
【請求項４】
長筒部材は、その長手方向に沿って透明あるいは半透明の材質で形成される部位に、長筒体の内底部側に備えられるマーカからの各水位高さを示す目盛を形成することとしてなる請求項１に記載の透視度計。
【請求項５】
長筒部材は、その全体を透明あるいは半透明のプラスチック材あるいはガラス材で形成することとしてなる請求項１に記載の透視度計。
【請求項６】
マーカは、下開口部を閉塞する状態で該下開口部に取付けられる吸排水弁内に表示され、備えられるものである請求項１に記載の透視度計。
【請求項７】
吸引ポンプは、手動ポンプまたは電動ポンプのいずれかであり、長筒部材内部の負圧状態を解除する排気弁を備えることとしてなる請求項１に記載の透視度計。
【発明の詳細な説明】
【技術分野】
【０００１】
本発明は、河川水、湖沼水、海水、さらに上水あるいは下水などの被測定水を採水し、その透視度を測定するための透視度計に関する。
【背景技術】
【０００２】
工場からの廃水や生活排水が河川、湖沼、海などに流入し、被測定水の汚濁度を測る指標として透視度が知られている。透視度は、通常ガラス管などの透明で全体長尺状の直管体に採水された被測定水を流入させ、流入された被測定水を該管体の上部開口より直管体の内底部に予め配設された標識板を透視し、その識別状態をもとに測定するものである。標識板は、一般に白色の地色に黒色で太さ０．５mm、間隔１mmの二重線（二重十字のマーカ）が書かれた構成とされる。測定者においては、直管体に入れられた試料（被測定水）を上部開口から徐々に排水し、標識板の二重十字のマーカを、上部開口より初めて目視して識別できる状態において、マーカからの直管体の水位高さを透視度として定義付けている。透視度の単位は、１０mmを１度として表し、例えば透視度１０度は１００mmということになる。
【０００３】
ところで、最近は海水浴場、港湾、上下水道などを管理する地方公共団体において、職員や外部委託先が、この透視度を測定する機会が増えている。測定作業は測定者が採水場所まで出かけ、車の荷台から透明な直管体を取り出し、直管体の上部開口より管体内に被測定水を流入させた後に、標識板の二重線（二重十字のマーカ）が上部開口より初めて目視して識別できる状態になるまで、直管体をひっくり返して管体内に被測定水の排水を行わなければならなかった。
【０００４】
こうした直管体における採水作業は、通常測定者が腰を屈めるようにして直管体を横に寝かせ、上部開口から管体内に被測定水を流入させるようにして行わなければならなかった。このため、例えば水面から高い位置において採水作業を行う場合、測定者は腰を屈めたり、場合によっては水の中に入って排水池や排水溝などにおいて長尺の直管体を水面に寝かせるようにして被測定水を採水しなければならず、この作業は大変作業性の悪いものとされていた。特に下水や廃液等が混ざった汚水で構成される被測定水を、測定者が直管体の内部に流入させる場合、測定者は被測定水に接触しなければならないことも懸念されるため、ゴム手袋や長靴などを着用して作業を行わなければならなかった。
【０００５】
加えて、直管体内に流入され、滞溜された被測定水を上部開口より初めて目視して識別できる状態になるまで、長尺の直管体を数度ひっくり返して管体内の被測定水を排水しなければならず、そのような場合に直管体に流入され、滞溜させた被測定水が汚染されていると直管体をひっくり返して管体内に被測定水を排水する度に、沈殿しかけていた不純物等が被測定水中で拡散されることとなり、しばらくしてから標識板の二重線を計測しなければならないため、測定に大変時間がかかるものとされていた。
【０００６】
こうした従来の透視度計の不具合を解決するものとして、従来下記非特許文献１に係るホームページで示される透視度計の提案が行われ、一般に採用されていた。この透視度計は、直管体の上部開口よりビーカ等で採水した被測定水を直管体の内部に流入し、使用される。こうした構成からなる透視度計は、直管体の内部に流入され、滞溜された被測定水をチューブに取付けられたクリップを外すようにして排水筒から徐々に排水し、標識板の二重線が上部開口より見える状態において直管体のマーカからの水位高さを測定すれば足りるため、作業性の点で大きく改善が図られた。
【先行技術文献】
【非特許文献】
【０００７】
【非特許文献１】http://www.ureruzo.comホームページ中のＪＩＳ透視度計（ＪＩＳ  Ｋ０１０２）
【発明の概要】
【発明が解決しようとする課題】
【０００８】
しかしながら、上記特許文献１に示す透視度計にあっても、依然として測定者が腰を屈めて採水等の作業を行わなければならず、排水も直管体に流入され、滞溜された被測定水をチューブに取付けられたクリップを外すようにして行わなければならないため、作業効率が悪いものとされていた。
【０００９】
本発明は、上記従来の透視度計の不具合に着目してなされたものであり、簡単な操作により、河川、湖沼、海、上下水道などの被測定水の採水領域において、被測定水の採水を可能とし、さらに採水された被測定水の透視度を簡単な操作により測定することを可能とする作業性に優れた透視度計の提供を目的とするものである。
【課題を解決するための手段】
【００１０】
上記目的を達成するため、本発明の請求項１は、全体長尺状の直管体により形成され、下端部に下開口部を、上端部に上開口部をそれぞれ備え、内部に被測定水を流入して滞溜させることを可能とし、内部に流入した被測定水の滞溜状態を外部から視認可能できるよう直管体の全部または一部がその長手方向に沿って透明あるいは半透明の材質で形成され、長手方向を鉛直方向に対応させることで透明あるいは半透明の材質で形成される部分において外部から内部に流入し、滞溜された被測定水の水位を視認し、計測可能とする長筒部材と、長筒部材の上開口部に取付けられ、長筒部材の内部を負圧状態に操作することを可能とし、長筒部材の内部を負圧状態に操作することで下開口部側から長筒部材内に被測定水を流入し、滞溜させることを可能とする吸引ポンプと、下開口部を閉塞する状態で該下開口部に取付けられ、上開口部に取付けられる吸引ポンプの操作により長筒部材の内部を負圧状態にすることで採水場所にその下端部を浸水させる状態の長筒部材の下端部より被測定水を長筒部材の内部に流入可能とし、また上開口部に取付けられる吸引ポンプを上開口部から取り外し、長筒部材の内部の負圧状態を解除することで長筒部材の内部に流入された被測定水を排水可能とする入排水口と、常時はスプリングの付勢力により上記入排水口を閉塞して長筒部材内に流入された被測定水を長筒部材内に滞溜させることを可能とし、長筒部材の下端部を採水場所の水底領域に当接することで上記スプリングの付勢力に抗して閉塞される入排水口を開口し、上開口部に取付けられる吸引ポンプの操作により長筒部材の内部を負圧状態にして採水場所において被測定水を長筒部材に流入可能とし、あるいは長筒部材の下端部を地面や物体などの接触領域に当接することで上記スプリングの付勢力に抗して閉塞される入排水口を開口し、上開口部に取付けられる吸引ポンプを上開口部から取り外して長筒部材内部の負圧状態を解除することで長筒部材の内部に流入され、滞溜された被測定水を排水可能とする当接子を備えた弁体と、を備えた吸排水弁と、を備えた透視度計であって、測定者が河川、湖沼、海、上下水道などの被測定水の採水領域において、吸排水弁が取付けられた長筒部材の下端部を浸水させ、上記吸排水弁の弁体の当接子を採水場所の水底領域に当接して閉塞される入排水口を開口するとともに、上開口部に取付けられる吸引ポンプの操作により長筒部材の内部を負圧状態にすることで採水場所にその下端部を浸水させる状態の長筒部材の下端部より被測定水を長筒部材の内部に流入可能とし、長筒部材の内部に一定量の被測定水が滞溜されたら採水場所の水底領域に当接していた弁体の当接子の当接を解除し、弁体により開口されていた入排水口を閉塞して長筒部材の内部に被測定水を滞溜させ、この状態において上開口部に取付けられる吸引ポンプを上開口部から取り外し、長筒部材の長手方向を鉛直方向に対応させて上開口部より測定者が長筒部体の内底部側に備えられるマーカを目視し、視認できるようになるまで弁体の当接子を地面や物体などの接触領域に当接することで長筒部材の内部の被測定水を入排水口より徐々に排水し、測定者が上開口部より長筒部材の内底部側のマーカを目視し、視認できるようになった状態において、長手方向を鉛直方向に対応させた長筒部材の透明あるいは半透明の材質で形成される部分において外部から長筒部材の内部に流入し、滞溜された被測定水のマーカからの水位を視認し、測定可能としたものである。
【００１１】
また、本発明の請求項２は、長筒部材がその長手方向において複数の直管体を接続・分離可能とされ、使用時においてこれら複数の直管体を接続し、一本の長尺状の直管体とされるものである請求項１に記載の透視度計としている。
【００１２】
また、本発明の請求項３は、長筒部材の全体長さが１００cm以上とされる請求項１に記載の透視度計としている。
【００１３】
また、本発明の請求項４は、長筒部材の長手方向に沿って透明あるいは半透明の材質で形成される部位に、長筒部材の内底部側に備えられるマーカからの各水位高さを示す目盛が形成される請求項１に記載の透視度計としている。
【００１４】
また、本発明の請求項５は、その全体を透明あるいは半透明のプラスチック材あるいはガラス材で形成することとしてなる請求項１に記載の透視度計としている。
【００１５】
また、本発明の請求項６は、マーカが、下開口部を閉塞する状態で該下開口部に取付けられる吸排水弁に表示され、備えられるものである請求項１に記載の透視度計としている。
【００１６】
さらに、本発明の請求項７は、吸引ポンプが、手動ポンプまたは電動ポンプのいずれかであり、長筒部材内部の負圧状態を解除する排気弁を備えることとしてなる請求項１に記載の透視度計としている。
【発明の効果】
【００１７】
本発明に係る透視度計によれば、測定者が河川、湖沼、海、上下水道などの被測定水の採水領域において、吸排水弁が取付けられた長筒部材の下端部を浸水させ、上記吸排水弁の弁体の当接子を採水場所の水底領域に当接して閉塞される入排水口を開口するとともに、上開口部に取付けられる吸引ポンプの操作により長筒部材の内部を負圧状態にすることで採水場所にその下端部を浸水させる状態の長筒部材の下端部より被測定水を長筒部材の内部に流入可能とし、長筒部材の内部に一定量の被測定水が滞溜されたら採水場所の水底領域に当接していた弁体の当接子の当接を解除し、弁体により開口されていた入排水口を閉塞して長筒部材の内部に被測定水を滞溜させることが可能となる。この状態において、上開口部に取付けられる吸引ポンプを上開口部から取り外し、長筒部材の長手方向を鉛直方向に対応させて上開口部より測定者が長筒体の内底部側に備えられるマーカを目視し、視認できるようになるまで弁体の当接子を地面や物体などの接触領域に当接することとし、長筒部材の内部の被測定水を入排水口より徐々に排水し、測定者が上開口部より長筒部材のマーカを目視し、視認できるようになった状態において、長手方向を鉛直方向に対応させた長筒部材の透明あるいは半透明の材質で形成される部分において外部から長筒部材の内部に流入し、滞溜された被測定水のマーカからの水位を視認し、測定することが可能となる。このため、測定者が河川、湖沼、海、上下水道などの被測定水の採水領域において腰等を屈めることなく立ったままの状態で吸引ポンプを操作し、かつ弁体の当接子を採水場所の水底領域に当接して直管体の内部に被測定水を流入させることが可能となる。また測定者は、立ったままの状態で弁体の当接子を地面や物体などの接触領域に当接し、長筒部材の内部の被測定水を入排水口より徐々に排水することが可能となる。こうして測定者が上開口部より長筒部材のマーカを目視し、視認できるようになった状態において、滞溜された被測定水のマーカからの水位を視認し、測定することが可能となる。この結果、簡単な操作により、河川、湖沼、海、上下水道などの被測定水の採水領域において、被測定水の採水を可能とし、さらに採水された被測定水の透視度を簡単な操作により測定することができるため、極めて作業性に優れた透視度計の提供が可能となる。
【図面の簡単な説明】
【００１８】
【図１】本発明の一実施形態に係る透視度計の下端部を示す断面図である。
【図２】透視度計の下端部の吸排水弁における弁体の当接子を、採水場所の水底領域に当接して閉塞される入排水口を開口し、被測定水を長筒部材の内部に流入する状態を示す断面図である。
【図３】透視度計の全体を示す正面図である。
【図４】透視度計の下端部を採水場所としての排水溝の水底領域に当接し、被測定水を長筒部材の内部に流入する作業を示す正面図である。
【図５】測定者が長筒部材の上開口部より吸排水弁に表示され、備えられるマーカを目視し、視認する状態に係る透視度計の正面図である。
【図６】測定者が長筒部材の上開口部より図５の矢印方向に観て視認されるマーカを示す平面図である。
【図７】透視度計の下端部の吸排水弁における弁体の当接子を地面や物体などの接触領域に当接し、長筒部材の内部の被測定水を入排水口より排水する状態を示す断面図である。
【図８】実施形態に係る透視度計を各構成部品に分離し、分解した状態を示す斜視図である。
【発明を実施するための形態】
【００１９】
以下本発明の一実施形態に係る透視度計を図１ないし図８に基づいて説明する。実施形態に係る透視度計１は、図３に示すように全体長尺状の直管体により形成される長筒部材２を備えてなる。この長筒部材２は全体長尺円筒形からなる直管体からなり、下端部に下開口部３を、上端部に上開口部４をそれぞれ備えてなる。
【００２０】
この長筒部材２は、内部に被測定水２５を流入して滞溜させることを可能とし、内部に流入した被測定水２５の滞溜状態を外部から視認可能できるよう直管体の全部をその長手方向に沿って透明あるいは半透明の材質で形成してなる。すなわち、実施形態に係る長筒部材２は、その全体を透明あるいは半透明のプラスチック材あるいはガラス材で形成することとしている。
【００２１】
ここで実施形態に係る長筒部材２は、その長手方向において図８に示すように３本の直管体２Ａ，２Ｂ，２Ｃを、接続・分離可能として形成され、使用時においてこれら複数の直管体２Ａ，２Ｂ，２Ｃを接続し、図３ないし図５に示すように一本の長尺状の直管体として用いられるようにしている。このため、直管体２Ａの下端部外周には、直管体２Ｂの上端部内周に形成される雌ねじ部５ａと螺合可能な雄ねじ部５ｂが、直管体２Ｂの下端部外周には、直管体２Ｃの上端部内周に形成される雌ねじ部６ａと螺合可能な雄ねじ部６ｂがそれぞれ形成され、雌ねじ部５ａに対して雄ねじ部５ｂを、雌ねじ部６ａに対して雄ねじ部６ｂを螺合させることで、下端部に下開口部３を、上端部に上開口部４を備えた一本の長尺状の長筒部材２を組立て可能にしている。なお、長筒部材２は、図３に示す一本の長尺状の長筒部材２として組立てられた状態において、長手方向におけるその全体長さＬが、１００cm以上とされることが好ましい。
【００２２】
図３に示すように、使用時において３本の直管体２Ａ，２Ｂ，２Ｃを接続して一本の長尺状の直管体に組立てられる長筒部材２は、上開口部４の部分に対して吸引ポンプ７が取付け可能とされる。取付けられる吸引ポンプ７には、上開口部４内に対して、栓で閉塞するようにして密着内挿される栓部８と、栓部８の上部に取付けられ、図３あるいは図４の矢印方向に収縮させることで栓部８の下端に開口された吸引孔９（図８参照）からエアを吸引可能としてなる袋状部１０とを備えてなる。図３あるいは図４の矢印方向に収縮可能な袋状部１０は、作業者により、矢印方向に収縮操作された状態において、常時膨張する方向に作用する弾性材料にて形成され、実施形態においては合成ゴム材料が採用される。
【００２３】
上開口部４の部分に対し栓部８を密着内挿されて取付けられる吸引ポンプ７には、作業者が袋状部１０を矢印方向に収縮する操作を繰り返すことで吸引孔９より長筒部材２の内部のエアを吸引することが可能となり、吸引されたエアは袋状部１０の上部に備えられる逆止弁１１の部分から袋状部１０外に排気されることとなる。この結果、長筒部材２の上開口部４に取付けられ、長筒部材２の内部を負圧状態に操作することが可能となり、長筒部材２の内部を負圧状態に操作することで下開口部３側から長筒部材２内に被測定水２５を流入させ、長筒部材２内に被測定水を滞溜させることが可能となる。なお、逆止弁１１の部分は、常時は矢印Ａ方向（図８参照）の回動端に回動して閉じられ、一方矢印Ｂ方向（図８参照）に回動して袋状部１０、袋状部１０と吸引孔９を介して連通する長筒部材２の内部の負圧状態を解除し、大気に開放する排気弁（不図示）が備えられる。
【００２４】
上開口部４に対し吸引ポンプ７が取付けられてなる長筒部材２の下端の下開口部３には、図３あるいは図４に示すように２つの異なる径の円筒部１４Ａと１４Ｂをそれぞれ一体化して構成してなる吸排水弁１２が、下開口部３を閉塞する状態で取付けられる。すなわち、下開口部３を備えた直管体２Ｃの下端部外周には、吸排水弁１２の基端の円筒部１４Ａの内周に形成される雌ねじ部１３ａと螺合可能な雄ねじ部１３ｂが形成される（図８参照）。この雌ねじ部１３ａに対して雄ねじ部１３ｂを螺合させることで、長筒部材２の下端の下開口部３に対して吸排水弁１２を取付け、採水場所において測定者が透視度計１を組立て可能にしている。
【００２５】
ここで雌ねじ部１３ａに対して雄ねじ部１３ｂを螺合させる際、直管体２Ｃの下端縁部と吸排水弁１２の基端の円筒部１４Ａの段部間には、リング状のシール材１５が介装される（図１および図２参照）。
【００２６】
こうして、長筒部材２の下端の下開口部３に取付けられる吸排水弁１２には、上開口部４に取付けられる吸引ポンプ７の袋状部１０に対し、矢印方向に収縮操作を繰り返すことにより、長筒部材２の内部を負圧状態とすることが可能となり、図４に示すように採水場所にその下端部を浸水させる状態において、長筒部材２の下端部より被測定水２５（図４に示す例では排水溝に貯溜される汚染水）を長筒部材２の内部に流入可能にし（図２参照）、一方で上開口部４に取付けられる吸引ポンプ７を該上開口部４から取り外し（図５に示す状態）、長筒部材２の内部の負圧状態を解除することで、長筒部材２の内部に流入された被測定水を排水可能（図７に示す状態）とする入排水口１６が円筒部１４Ｂの先端下面に備えられる。
【００２７】
上記吸排水弁１２の円筒部１４Ｂの先端下面において、円形に開口される入排水口１６には、円筒部１４Ｂ内に内挿される円板状のコマ体１７の下面にシール板１８を一体に貼着して構成される弁体１９が対向配置される。弁体１９には、コマ体１７の中心部から入排水口１６の外側へと延設される軸部材２０が備えられ、該軸部材２０の外周部で円筒部１４Ｂの先端下面と軸部材２０の下端部に備えられる円板状の当接子２１間にはスプリング２２（圧縮スプリング）が備えられる。このスプリング２２は、矢印Ｃ方向の付勢力により（図１参照）、常時はコマ体１７下面のシール板１８により、上記入排水口１６を閉塞可能な状態に設定している。
【００２８】
吸排水弁１２は、例えば図４に示すように、長筒部材２の下端部を採水場所に浸水させ、上記弁体１９の軸部材２０の下端部に備えられる当接子２１を該採水場所の水底領域に当接することで、上記スプリング２２の付勢力に抗して閉塞される入排水口２２を開口させることを可能としてなる（図２参照）。この状態において、上開口部４に取付けられる吸引ポンプ７の袋状部１０を図３，図４の矢印方向で収縮操作する動作を繰り返すことで、長筒部材２の内部を負圧状態にすることが可能となり、採水場所において、開口される入排水口１６の部分（長筒部材２の下端部）より、被測定水２５を長筒部材２の内部に流入することが可能となる。
【００２９】
これに対し、吸排水弁１２は、先ず上開口部４に取付けられる吸引ポンプ７を上開口部４から取り外し、長筒部材２の内部の負圧状態を解除したり、上開口部４に吸引ポンプ７を取付けたままの状態で逆止弁１１の部分を矢印Ｂ方向（図８参照）に回動して排気弁で袋状部１０の内部を大気に開放し、袋状部１０と吸引孔９を介して連通する長筒部材２の内部の負圧状態を解除する状態とし、次いで図７に示すように長筒部材２の下端部において弁体１９の当接子２１の部分を、例えば地面や物体などの接触領域に当接するようにする。するとスプリング２２の矢印Ｃ方向の付勢力（図１参照）に抗してコマ体１７の全体が入排水口１６より離隔する方向に上方移動し、コマ体１７下面のシール板１８により閉塞されていた入排水口１６を開口することができる（図７参照）。これにより長筒部材２の内部に流入され、滞溜されたていた被測定水２５を排水可能とする当接子２１を備えた弁体１９と  長筒部材２の内部に流入され、滞溜されていた被測定水２５を図７に示すように長筒部材２の外部に排水することが可能となる。
【００３０】
長筒部材２の下端部の下開口部３に取付けられる吸排水弁１２のコマ体１７の上面には、図５に示すように上開口部４に取付けられる吸引ポンプ７を上開口部４から取り外した状態で上開口部４より視認するためのマーカ２３が備えられる。このマーカ２３は、コマ体１７の上面において、白色の地色に黒色で太さ０．５mm、間隔１mmの二重線（二重十字のマーカ）が書かれた従来の標識板と同様の構成とされる。
【００３１】
吸排水弁１２がその下端部に取付けられ、全体を透明あるいは半透明のプラスチック材あるいはガラス材で形成される長筒部材２には、その長手方向側面位置に一定間隔で目盛２４が表示して形成される。目盛２４は、吸排水弁１２がその下端部に取付けられ状態において、吸排水弁１２のコマ体１７上面に書かれたマーカ２３からの各高さを表示するように形成されるものである。すなわち、目盛２４は、長筒部材２の内部に流入され、滞溜される被測定水２５のマーカ２３からの水位高さを表示可能にしている。
【００３２】
こうして形成される透視度計１を用いて測定者が、河川、湖沼、海、上下水道などの被測定水２５の採水領域において、採水を行い、被測定水２５の透視度を測定する場合、次のようにして行う。
【００３３】
先ず、吸排水弁１２が取付けられた長筒部材２の下端部を例えば図４に示すように浸水させ、この状態で吸排水弁１２の弁体１９の当接子２１を、採水場所の水底領域に当接するようにする。この際、測定者は採水領域に入ったり、従来の採水作業のように長筒部材２の上部開口４から長筒部材２内に被測定水を流入させるために長筒部材２を水面に寝かせるため、腰を屈めることもなく、立ったままの状態で長筒部材２の下端部を浸水させて採水作業を行うことが可能となる。すなわち、測定者は、吸排水弁１２の弁体１９の当接子２１を、採水場所の水底領域に当接することで、図２に示すように閉塞される入排水口１６の部分を開口し、さらに上開口部３に取付けられる吸引ポンプ７の操作（測定者が図３，図４で示すように袋状部１０を矢印方向に収縮する操作を繰り返し、吸引孔９より長筒部材２の内部のエアを吸引すること）により、長筒部材２の内部を負圧状態にして、長筒部材２内に被測定水２５を流入させることができる。
【００３４】
こうして、採水場所において、その下端部を浸水させる状態の長筒部材２の下端部より被測定水２５を長筒部材２の内部に流入させ、長筒部材２の内部に一定量の被測定水２５が滞溜されたら採水場所の水底領域に当接していた弁体１９の当接子２１の水底領域に対する当接を解除する。この状態で弁体１９により開口されていた入排水口１６が再び図１に示すように  スプリング２２の矢印Ｃ方向での付勢力によりコマ体１７の全体が入排水口１６に対して接触する方向に下方移動し、コマ体１７下面のシール板１８により入排水口１６を閉塞させることができる。
【００３５】
こうして、吸排水弁１２の弁体１９により入排水口１６が閉塞され、長筒部材２の内部に被測定水２５を滞溜させたままの状態において、上開口部３に取付けられる吸引ポンプ７を上開口部３から取り外し、長筒部材２の長手方向を図５に示すように鉛直方向に対応させるようにする。次いで上開口部３より測定者が長筒体２の内底部の吸排水弁１２のコマ体１７の上面に備えられるマーカ２３を図１のＶI方向に視認することとする。この際測定者は、長筒部材２内に滞溜された被測定水２５を透過するようにしてマーカ２３を目視し、視認できるようになるまで吸排水弁１２の弁体１９の当接子２１を地面や物体などの接触領域に当接させることで長筒部材２の内部の被測定水を入排水口１６より徐々に排水する（図７参照）。図６に示すように上開口部３より長筒部材２の内底部に表示されたマーカ２３を測定者が目視し、視認できるようになった状態において、該測定者は吸排水弁１２の弁体１９の当接子２１の地面や物体などの接触領域に対する当接を止めるようにし、これによりスプリング２２の矢印Ｃ方向の付勢力（図１参照）でコマ体１７の全体を入排水口１６に対して接触させる方向に下方移動させ、コマ体１７下面のシール板１８により入排水口１６を閉塞させることが可能となる。
【００３６】
こうして図６に示すように、測定者が上開口部３の部分からマーカ２３を目視し、視認できる状態となった長筒部材２内での被測定水２５の滞溜状態において、図５に示すように長筒部材２の長手方向を鉛直方向に対応させ、長筒部材２の長手方向側面位置に、一定間隔で表示して形成された目盛２４の部分で長筒部材２の内部に流入し、滞溜された被測定水２５のマーカ２３からの水位高さを外部から視認し、測定することが可能となる。
【００３７】
こうして測定者は、透視度計１を用いて河川、湖沼、海、上下水道などの被測定水の採水領域において、採水を行い、被測定水２５の透視度を測定することが可能となる。測定作業を終了したら、測定者は吸排水弁１２の弁体１９の当接子２１を地面や物体などの接触領域に当接させ（図７参照）、長筒部材２の内部に滞溜されていた被測定水２５の全てを入排水口１６排水し、図８に示すように透視度計１の長筒部材２を３本の直管体２Ａ，２Ｂ，２Ｃに分離し、さらに吸引ポンプ７、吸排水弁１２の各構成部品を分離してコンパクトに収納袋等に収納することが可能となる。
【００３８】
以上のように、本実施形態に係る透視度計１は、河川、湖沼、海、上下水道などの被測定水２５の採水領域において、測定者が長筒部材２の上開口部３に取付けられる吸引ポンプ７を操作することで長筒部材２の内部に被測定水２５を流入し、滞溜させることを可能となり、滞溜された被測定水２５を測定者が吸引ポンプ７を取外した上開口部３から長筒部材２の内底部側に備えられるマーカ２３を目視し、視認できるようになるまで吸排水弁１２の弁体１９の当接子２１を地面や物体などの接触領域に当接することで長筒部材２の内部の被測定水を入排水口１６より徐々に排水し、測定者が上開口部３より長筒部材２の内底部側のマーカ２３を目視し、視認できるようになった状態において、長手方向を鉛直方向に対応させた長筒部材２に表示された目盛２４の部分で滞溜された被測定水２５のマーカ２３からの水位を視認し、測定することができる。このため、従来の透視度計のように腰を屈んで採水作業を行ったり、また採水された被測定水２５を複雑な操作により排水させて水位の計測を行う必要もなく、安全かつ効率的な計測作業が行えることとなる。
【００３９】
なお、上記実施形態に係る透視度計１においては、長筒部材２をその長手方向において３本の直管体２Ａ，２Ｂ，２Ｃを接続・分離可能とする構成とし、使用時においてこれら３本の直管体２Ａ，２Ｂ，２Ｃを接続して一本の長尺状の直管体としているが、４本以上の直管体を接続・分離する構成としてもよく、また一本の長尺状の直管体により構成するようにしてもよい。
【００４０】
また、上記実施形態に係る透視度計１においては、長筒部材２の全体を透明あるいは半透明のプラスチック材あるいはガラス材で形成することとしているが、長筒部材２の長手方向に沿ってその一部を透明あるいは半透明の材質で形成し、内部の被測定水２５を外部より視認可能とする窓部を形成し、該長筒部材の窓部長手方向に長筒部材の内底部側に備えられるマーカからの各水位高さを示す目盛を表示し、形成することとしてもよい。
【００４１】
また、上記実施形態に係る透視度計１においては、長筒部材２の長手方向に沿って目盛２４を表示させるようにしているが、目盛２４は必ずしも必要ではなくマーカからの被測定水２５の水位高さを測定者がメジャー等で測定することとしてもよい。
【００４２】
また、上記実施形態に係る透視度計１においては、マーカ２３を長筒部材２の下端部の下開口部３に取付けられる吸排水弁１２のコマ体１７の上面に表示して備えることとしているが、長筒部材２の下端側に通水孔を備えた表示板を備えることとし、表示板に二重十字で構成されるマーカを書くようにしてもよい。
【００４３】
さらに、上記実施形態に係る透視度計１においては、長筒部材２の上開口部３に取付けられる吸引ポンプ７を、測定者が図３，図４で示すように袋状部１０を矢印方向に収縮する操作を繰り返し、吸引孔９より長筒部材２の内部のエアを吸引する手動ポンプとしているが、上開口部３に密閉状態で取付けられて長筒部材２の内部のエアを吸引可能とする電動ポンプであってもよい。
【産業上の利用可能性】
【００４４】
以上のように、本発明に係る透視度計は、河川、湖沼、海、上下水道などの被測定水の採水領域において、測定者が一人でその場で組立て使用することもでき、さらに採水作業や測定作業においても腰を屈むことなく立ったままの状態で簡易に行うことが可能なため、従来複数人により行っていた透視度の測定作業を少数または一人で行うことが可能となり、低コストで作業性に優れた透視度計の提供が可能である。
【符号の説明】
【００４５】
１                    透視度計
２                    長筒部材
２Ａ，２Ｂ，２Ｃ３    直管体
３                    上開口部
４                    下開口部
５ａ，６ａ，１３ａ    雌ねじ部
５ｂ，６ｂ，１３ｂ    雄ねじ部
７                    吸引ポンプ
８                    栓部
９                    吸引孔
１０                  袋状部
１１                  逆止弁
１２                  吸排水弁
１４Ａ，１４Ｂ        円筒部
１５                  シール材
１６                  入排水口
１７                  コマ体
１８                  シール板
１９                  弁体
２０                  軸部材
２１                  当接子
２２                  スプリング
２３                  マーカ
２４                  目盛
２５                  被測定水
【図１】
2014153238.tif 000003
【図２】
2014153238.tif 000004
【図３】
2014153238.tif 000005
【図４】
2014153238.tif 000006
【図５】
2014153238.tif 000007
【図６】
2014153238.tif 000008
【図７】
2014153238.tif 000009
【図８】
2014153238.tif 000010